(57)【要約】【課題】  遠隔監視用無線端末装置及びアンテナを、枡や枡蓋に対する直接加工を行うことなく確実に固定できるような取付け構造を提供する。【解決手段】  樹脂製の蓋付き枡１内に収容された計測機器の計測値を電気信号に変換して送信する無線端末装置５及びアンテナ７を前記枡内に取付けるための取付け構造であって、無線端末装置及びアンテナを個別に前記蓋の裏面側に沿わせた状態で取付けるための板状の取付け金具９、１０、１１、１２を有する。各取付け金具は、無線端末装置及びアンテナを個別に前記蓋の裏面側に押えるための押え部と、前記蓋の一部に掛合する掛合部と、該掛合状態を堅くするための締付け部とを有することにより、前記蓋に加工を施すこと無く無線端末装置及びアンテナを個別に前記蓋の裏面側に取付けできるようにした。【選択図】    図５
2008054161.tif 000002
【特許請求の範囲】
【請求項１】
樹脂製の蓋付き枡内に収容された計測機器の計測値を電気信号に変換して送信する無線端末装置及びアンテナを前記枡内に取付けるための取付け構造であって、
前記無線端末装置及びアンテナを個別に、または一体的に前記蓋の裏面側に沿わせた状態で取付けるための板状の取付け金具を有し、
該取付け金具は、前記無線端末装置及びアンテナを個別に、または一体的に前記蓋の裏面側に押えるための押え部と、前記蓋の一部に掛合する掛合部と、該掛合状態を堅くするための締付け部とを有することにより、前記蓋に加工を施すこと無く前記無線端末装置及びアンテナを個別に、または一体的に前記蓋の裏面側に取付けできるようにしたことを特徴とする遠隔監視システム用の無線端末装置及びアンテナの取付け構造。
【請求項２】
請求項１において、
前記取付け金具は前記無線端末装置及びアンテナを個別に前記蓋の裏面側に取付けるためのものであって少なくとも１つの無線端末装置用取付け金具と１つのアンテナ用取付け金具とから成り、
前記無線端末装置用取付け金具は対の金具から成り、該対の金具の各々は一端側に前記蓋の縁に掛けるコ字形状部を前記掛合部として有すると共に他端側には略直角に折曲げられた立上げ部を有して、該対の金具の立上げ部同士を対向させてネジによる締付けを行うことで前記締付け部とし、該締付け部とその両側の下面側領域に前記無線端末装置を配置することで前記押え部とし、
前記アンテナ用取付け金具も対の金具から成り、該対の金具の各々は一端側に前記蓋の縁に掛けるコ字形状部を前記掛合部として有すると共に他端側には略直角に折曲げられた立上げ部を有し、しかも該対の金具の一方は前記アンテナを接着テープで固着するための受け部を前記押え部として有し、該対の金具の立上げ部同士を対向させてネジによる締付けを行うことで前記締付け部としたことを特徴とする遠隔監視システム用の無線端末装置及びアンテナの取付け構造。
【請求項３】
請求項２において、
前記蓋の裏面にはその四周を除くほぼ全域に断熱材が設けられており、前記無線端末装置及びアンテナは該断熱材を介して前記蓋の裏面側に取付けられることを特徴とする遠隔監視システム用の無線端末装置及びアンテナの取付け構造。
【請求項４】
請求項１において、
前記蓋の裏面側には対向する二辺の端部近傍にそれぞれ該端部に沿う突条を有し、これらの突条にはそれぞれ前記断熱材の端部を受入れ可能なポケットが設けられており、
前記取付け金具は前記無線端末装置及びアンテナを個別に前記蓋の裏面側に取付けるためのものであって、その一端側に近い部分には前記アンテナを接着テープで固着するための受け部を前記押え部として有し、他端側に近い部分には前記無線端末装置を受けてこれを前記断熱部材に押付けるための部分を前記押え部として有し、
前記取付け金具の一端部及び他端部にはそれぞれ、該端部から離れる方向に延びる少なくとも１つの第１の舌片を有すると共に、該第１の舌片より低い高さ位置で該第１の舌片と同じ方向に延びる第２の舌片を前記掛合部として有して、前記第２の舌片を前記断熱材とともに前記ポケットに押し込むと、前記第１の舌片が前記突条の上側に位置し、該第１の舌片に設けられたネジ孔を通してネジを螺入することで前記第２の舌片を前記断熱材に押付ける前記締付け部として作用するようにしたことを特徴とする遠隔監視システム用の無線端末装置及びアンテナの取付け構造。
【請求項５】
請求項４において、
前記取付け金具は対の金具から成り、一方の金具は、その一端部に前記第１、第２の舌片を、中央部に前記アンテナを接着テープで固着するための前記受け部を、他端部に接続部をそれぞれ有し、
他方の金具は、その一端部に前記第１、第２の舌片を、中央部に前記無線端末装置を受けてこれを前記断熱部材に押付けるための前記部分を、他端部に接続部をそれぞれ有し、
前記一方の金具の前記接続部、前記他方の金具の前記接続部の一方にはネジ挿通用の穴を、他方には長さ方向に長くしたネジ挿通用の長穴を設けてこれらの穴及び長穴を通して前記対の金具の前記接続部同士をネジで連結するようにし、しかも連結した時の取付け金具としての長さを可変の構成としたことを特徴とする遠隔監視システム用の無線端末装置及びアンテナの取付け構造。
【請求項６】
請求項１において、
前記蓋の裏面はその四周を除くほぼ全域が凹部とされ、該凹部にはその対向し合う二辺の内壁との間に溝ができるように断熱材が設けられて、前記無線端末装置及びアンテナは該断熱材を介して前記蓋の裏面側に取付けられるものであり、
前記取付け金具は前記無線端末装置及びアンテナを個別に前記蓋の裏面側に取付けるためのものであって少なくとも１つの無線端末装置用取付け金具と１つのアンテナ用取付け金具とから成り、
前記無線端末装置用取付け金具は対の金具から成り、該対の金具の各々は一端側が前記掛合部として前記溝内に挿入されると共に他端側には略直角に折曲げられた立上げ部を有し、しかも一方の立上げ部の背面側には他方の立上げ部が入り込むことのできる開口が設けられて、該対の金具の立上げ部の背面同士を対向させた状態で２つの立上げ部間をネジにより締付けることで前記締付け部とし、該締付け部とその両側の下面側領域に前記無線端末装置を配置することで前記押え部とし、
前記アンテナ用取付け金具も対の金具から成り、該対の金具の各々は一端側が前記掛合部として前記溝内に挿入されると共に他端側には略直角に折曲げられた立上げ部を有し、しかも該対の金具の一方は前記アンテナを接着テープで固着するための受け部を前記押え部として有すると共に前記立上げ部の背面側には他方の金具の立上げ部が入り込むことのできる開口が設けられて、該対の金具の立上げ部の背面同士を対向させた状態で２つの立上げ部間をネジにより締付けることで前記締付け部とし、
前記無線端末装置用取付け金具、前記アンテナ用取付け金具はそれぞれ、それらの前記締付け部が締付けされると、前記対の金具における対の前記掛合部が互いに離れる方向に変位することで前記凹部の内壁に押付けられるように構成されていることを特徴とする遠隔監視システム用の無線端末装置及びアンテナの取付け構造。
【請求項７】
請求項６において、
前記無線端末装置用取付け金具が２つ用いられ、該２つの無線端末装置用取付け金具には、一方の無線端末装置用取付け金具の側縁からその下面側にある無線端末装置の下面を経て他方の無線端末装置用取付け金具の側縁に至る端末装置固定バンドが少なくとも１本取付け可能に構成されていることを特徴とする遠隔監視システム用の無線端末装置及びアンテナの取付け構造。
【請求項８】
請求項１において、
前記蓋の裏面はその四周を除くほぼ全域が凹部とされ、該凹部にはその対向し合う二辺の内壁との間に溝ができるように断熱材が設けられて、前記無線端末装置及びアンテナは該断熱材を介して前記蓋の裏面側に取付けられるものであり、
前記取付け金具は前記無線端末装置及びアンテナを個別に前記蓋の裏面側に取付けるためのものであって少なくとも１つの無線端末装置用取付け金具と１つのアンテナ用取付け金具とから成り、
前記無線端末装置用取付け金具は２つの脚部を持つコ字形状を有し、該２つの脚部の間の下面側に前記無線端末装置を配置することで前記押え部とし、前記２つの脚部はそれぞれその先端側が前記掛合部として前記蓋の側縁に当接するようにされると共に該脚部の内側に押え金具が配置され、
該押え金具の一端側は前記溝内に挿入されると共に他端側は前記脚部の根元近くまで延び、
前記脚部の根元近くにはネジ孔を設け該ネジ孔にネジを螺入させて該ネジの先端で前記押え金具を押圧し該押え金具の前記一端側を前記凹部の内壁に押付けることにより前記締付け部として作用させ、
前記アンテナ用取付け金具も２つの脚部を持つコ字形状を有し、該２つの脚部の間の下面側に前記アンテナを受けるための受け部を前記押え部として有し、前記２つの脚部はそれぞれその先端側が前記掛合部として前記蓋の側縁に当接するようにされると共に該脚部の内側に押え金具が配置され、
該押え金具の一端側は前記溝内に挿入されると共に他端側は前記脚部の根元近くまで延び、
前記脚部の根元近くにはネジ孔を設け該ネジ孔にネジを螺入させて該ネジの先端で前記押え金具を押圧し該押え金具の前記一端側を前記凹部の内壁に押付けることにより前記締付け部として作用させるようにしたことを特徴とする遠隔監視システム用の無線端末装置及びアンテナの取付け構造。
【請求項９】
請求項８において、
前記無線端末装置用取付け金具及び前記アンテナ用取付け金具における前記各脚部の両側縁にはそれぞれ前記ネジ孔に対応する高さ位置において該側縁から直角方向に延びる舌片が設けられ、
前記各脚部に対応する前記押え金具の両側縁にもそれぞれ前記２つの舌片に対応する箇所に舌片が設けられ、
互いに対向し合う前記脚部側の舌片には前記ネジとは別のネジのためのネジ孔が設けられると共に前記押え金具側の舌片には前記別のネジを挿通可能な穴が設けられていることにより、前記押え金具が前記別のネジを中心に回動可能にされていることを特徴とする遠隔監視システム用の無線端末装置及びアンテナの取付け構造。
【請求項１０】
請求項８または９において、
前記無線端末装置用取付け金具が２つ用いられ、該２つの無線端末装置用取付け金具には、一方の無線端末装置用取付け金具の側縁からその下面側にある無線端末装置の下面を経て他方の無線端末装置用取付け金具の側縁に至る端末装置固定バンドが少なくとも１本取付け可能に構成されていることを特徴とする遠隔監視システム用の無線端末装置及びアンテナの取付け構造。
【請求項１１】
請求項１において、
前記取付け金具は前記無線端末装置及びアンテナを一体的に前記蓋の裏面側に取付けるためのものであって少なくとも２つの無線端末装置用取付け金具から成り、
前記蓋の裏面はその四周を除くほぼ全域が凹部とされ、該凹部にはその対向し合う二辺の内壁との間に溝ができるように断熱材が設けられて、前記無線端末装置及びアンテナは重ねた状態にて該断熱材を介して前記蓋の裏面側に取付けられるものであり、
前記無線端末装置用取付け金具は対の金具から成り、該対の金具の各々は一端側が前記掛合部として前記溝内に挿入されると共に他端側には略直角に折曲げられた立上げ部を有し、しかも一方の立上げ部の背面側には他方の立上げ部が入り込むことのできる開口が設けられて、該対の金具の立上げ部の背面同士を対向させた状態で２つの立上げ部間をネジにより締付けることで前記締付け部とし、該締付け部とその両側の下面側領域に前記無線端末装置及びアンテナを重ねて配置することで前記押え部とし、
前記無線端末装置用取付け金具は、前記締付け部が締付けされると、前記対の金具における対の前記掛合部が互いに離れる方向に変位することで前記凹部の内壁に押付けられるように構成されていることを特徴とする遠隔監視システム用の無線端末装置及びアンテナの取付け構造。
【請求項１２】
請求項１１において、
前記２つの無線端末装置用取付け金具には、一方の無線端末装置用取付け金具の側縁からその下面側に重ねた状態にある無線端末装置及びアンテナの下面側を経て他方の無線端末装置用取付け金具の側縁に至る端末装置／アンテナ固定バンドが少なくとも１本取付け可能に構成されていることを特徴とする遠隔監視システム用の無線端末装置及びアンテナの取付け構造。
【請求項１３】
樹脂製の蓋付き枡内に収容された計測機器の計測値を電気信号に変換して送信する無線端末装置及びアンテナを前記枡内に取付けるための取付け構造であって、
前記無線端末装置及びアンテナを個別に、または一体的に前記枡内に取付けるための板状の取付け金具を有し、
前記取付け金具は、２つの略逆Ｌ字形状の金具を橋渡しするように連結して構成された略コ字形状を有し、しかも一方の金具の連結部分にはネジの挿通可能な穴を設けると共に他方の金具の連結部分にはネジの挿通可能な長穴を設けることにより橋渡し部の長さを可変とし、該橋渡し部上に前記端末装置及びアンテナを個別に、または一体的に固定するようにしたことを特徴とする遠隔監視システム用の無線端末装置及びアンテナの取付け構造。
【請求項１４】
請求項１３において、
前記取付け金具は前記無線端末装置及びアンテナを個別に前記枡内に取付けるためのものであって無線端末装置用取付け金具及びアンテナ用取付け金具とから成り、
前記無線端末装置用取付け金具は、２つの略逆Ｌ字形状の金具を橋渡しするように連結して構成された略コ字形状を有し、しかも一方の金具の連結部分にはネジの挿通可能な穴を設けると共に他方の金具の連結部分にはネジの挿通可能な長穴を設けることにより橋渡し部の長さを可変とし、該橋渡し部上に前記端末装置を固定するようにし、
前記アンテナ用取付け金具も、２つの略逆Ｌ字形状の金具を橋渡しするように連結して構成された略コ字形状を有し、しかも一方の金具の連結部分にはネジの挿通可能な穴を設けると共に他方の金具の連結部分にはネジの挿通可能な長穴を設けることにより橋渡し部の長さを可変とし、該橋渡し部上に前記アンテナを固定するようにしたことを特徴とする遠隔監視システム用の無線端末装置及びアンテナの取付け構造。
【請求項１５】
請求項１３または１４において、
前記無線端末装置用取付け金具及び前記アンテナ用取付け金具における前記２つの略逆Ｌ字形状の金具にはそれぞれ上方に延びるように板状の固定金具が連結され、前記略逆Ｌ字形状の金具及び前記板状の固定金具における連結部分の一方には前記ネジとは別のネジの挿通可能な穴を設けると共に連結部分の他方には前記別のネジの挿通可能な長穴を設けることにより前記固定金具の取付け高さ位置を可変としたことを特徴とする遠隔監視システム用の無線端末装置及びアンテナの取付け構造。
【請求項１６】
樹脂製の蓋付き枡内に収容された計測機器の計測値を電気信号に変換して送信する無線端末装置及びアンテナを前記枡内に取付けるための取付け構造であって、
前記無線端末装置及びアンテナを個別に、または一体的に前記枡内に取付けるための取付け金具を有し、
前記取付け金具は、２つの脚部を持つ略コ字形状を有する回転金具と、前記２つの脚部を貫通して前記回転金具を回転可能に支持している支持軸と、該支持軸の両端側に組付けられて該支持軸を前記枡の互いに対向する内壁間にわたるように掛け渡すための対の掛け渡し部と、前記回転金具を所定の回転角度で保持するための保持部とを含み、
前記回転金具における前記２つの脚部の間の台板上に前記無線端末装置及びアンテナを個別に、または一体的に固定するようにしたことを特徴とする遠隔監視システム用の無線端末装置及びアンテナの取付け構造。
【請求項１７】
請求項１６において、
前記取付け金具は前記無線端末装置及びアンテナを個別に前記枡内に取付けるためのものであって無線端末装置用取付け金具とアンテナ用取付け金具とから成り、
前記無線端末装置用取付け金具及び前記アンテナ用取付け金具はそれぞれ、２つの脚部を持つ略コ字形状を有する前記回転金具と前記２つの脚部を貫通して前記回転金具を回転可能に支持している前記支持軸とを含むと共に前記掛け渡し部として前記支持軸の両端部に設けられた雄ネジ部と該雄ネジ部が挿通された略コ字形状の金具と該金具に当接するように前記雄ネジ部に螺合されてその回転により該金具をスライドさせるネジ体とを有することを特徴とする遠隔監視システム用の無線端末装置及びアンテナの取付け構造。
【請求項１８】
請求項１７において、
前記無線端末装置用取付け金具及び前記アンテナ用取付け金具はそれぞれ、前記保持部として、前記２つの脚部を前記支持軸とは別の場所で貫通している別の支持軸と該別の支持軸の両端部に設けられた雄ネジ部と該雄ネジ部が挿通された前記略コ字形状の金具と該金具に当接するように前記雄ネジ部に螺合されてその回転により該金具をスライドさせる別のネジ体とを有し、
前記別の支持軸が貫通している前記２つの脚部の貫通穴は、前記支持軸が貫通している場所を中心とした約９０度の角度範囲にわたる円弧状の長い穴であり、前記支持軸及び前記別の支持軸は略水平に並ぶようにして前記枡の互いに対向する内壁間にわたるように掛け渡されることを特徴とする遠隔監視システム用の無線端末装置及びアンテナの取付け構造。
【請求項１９】
請求項１６または１７において、
前記回転金具を任意の回転角度で保持するための別の保持部を有し、
該別の保持部は、前記支持軸に固定された板部材であって該支持軸を中心とした円周上に角度間隔をおいて複数のピンが前記支持軸の方向に突出するように設けられた固定用部品を含み、前記２つの脚部の一方には前記支持軸を中心とした前記円周と同じ大きさの円周上に前記角度間隔より狭い角度間隔をおいて前記複数のピンの挿入可能な複数の穴が設けられ、
前記回転金具を前記支持軸に沿ってスライド可能とすることにより前記複数のピンを前記複数の穴のうちの対応する穴へ挿入可能としたことを特徴とする遠隔監視システム用の無線端末装置及びアンテナの取付け構造。
【請求項２０】
請求項１〜１９いずれか一つに記載の取付け構造により前記樹脂製の蓋付き枡内に設置された前記無線端末装置及び前記アンテナを有する遠隔監視システム。
【発明の詳細な説明】
【技術分野】
【０００１】
本発明は、遠隔監視システム用の無線端末装置及びアンテナの取付け構造に関し、特に水道メータの遠隔監視システムにおいて水道メータを収容している樹脂製の枡あるいは枡蓋への無線端末装置及びアンテナの取付け構造に関する。
【背景技術】
【０００２】
水道メータ等の検針は、一般的には検針担当者が１箇所ずつメータのある場所まで出向いて、メータを目で見て使用量を確認している。
【０００３】
図１は水道メータの設置形態の一例を示す。上部を開口した枡１は設置場所に上部近くまで埋設され、枡２内に水道メータ３が設けられる。枡２の上部開口は雨水、その他の侵入を防ぐために枡蓋２で塞がれる。枡蓋２はヒンジ等を介して枡１に開閉自在に取付けられる。なお、枡蓋２の裏面側には断熱材４が取付けられる場合がある。
【０００４】
近年、難検針場所対応及び人件費削減のため、無線による遠隔監視システムが実用化されつつある。
【０００５】
難検針場所としては以下のような例が挙げられる。
【０００６】
メータ設置場所が容易に立ち入れない場所にある。例えば、オートロック付きのマンション、猛犬がいる家、立ち入りを制限される工場、警備が厳重な場所。
【０００７】
山間部の住宅や人口の少ない離島のように、遠隔地で検針担当者が行くには大変な場所。
【０００８】
無線による遠隔監視システムは、電波を使用するため、遮蔽物があるとうまく電波が届かないことがある。そのために、効率的に電波を受信できるよう、遠隔監視用無線端末装置及びそれに接続されるアンテナの設置場所及び取付け構造を配慮する必要がある。
【０００９】
以下に、無線による遠隔監視システムを構築する際の課題について説明する。  課題１：遠隔監視用無線端末装置及びアンテナの設置場所の制約
水道メータ等に適用するための遠隔監視用無線端末装置及びアンテナの設置場所は、電波の見通しのよい場所に設置することが好ましい。ところが、これらの設置可能な場所は、水道局等のサービス提供会社等が管理する場所に限られる。つまり、図２に示すように、水道メータ３の場合、水道局の管理可能な場所というのは枡１の中のみである。枡１内に端末装置５やアンテナ７を設置すると、基地局６が遠い場合、枡１の周囲の土やコンクリートにより電波がさえぎられて弱くなる。
【００１０】
これを回避するために、図３に示すように、枡１の外に端末装置５やアンテナ７を設置したいが、枡１の外はその枡１を設置した家の所有者の管理になるため、所有者の許可無く枡１の外に端末装置５やアンテナ７を設置することができない。
【００１１】
課題２：枡蓋に突起物があると危険
電波状況を改善すべく、電波の見通しをよくするため、図４に示すように、枡１内に端末装置５を設ける一方、枡蓋２の上、つまり表面側にアンテナ７を取付けることが考えられる。しかし、枡１は、枡蓋２が地面と同レベルになるように埋設されるのが普通であり、枡蓋２に突起があると、踏まれて損傷したり、人がつまずいて怪我をしたりするおそれがある。
【００１２】
課題３：枡の加工不可
水道メータの枡は、その枡を設置した家の所有者の資産であるため、水道事業者等による枡や枡蓋への穴あけ等の加工を所有者の承諾無しに行うことができない。
【００１３】
課題４：接着剤／両面テープ等の使用が困難
課題３を解決すべく、枡蓋への加工無しで無線端末装置及びアンテナを枡蓋に取付ける方法として、接着剤の使用、両面テープの使用が考えられる。接着剤で強度を確保する場合、材料を選定することにより、確実に取付けることは可能であるが、引越し等で取外しを行う際には、接着力が強力すぎて取外し時に枡蓋を損傷してしまうおそれがある。
【００１４】
また、両面テープによる取付けについては、さまざまな強度のものが市販品で存在するが、接着強度の強いものは、接着剤と同様、強度には問題無いが取外しが困難となる。一方、取外しが容易な両面テープは接着強度に問題があり、運用中に外れてしまうという問題が発生する。
【００１５】
以下に、具体的な提案例について説明する。
【００１６】
特許文献１には、円柱構造の無線装置を、メータ枡の上蓋に表側から形成された凹部内に配設するか、あるいはメータ枡の上蓋の裏側に一対のサポートで取付けた自動検針用無線装置が開示されている。サポートはＬ字形とコの字形を組合せた形状で、例えば弾力性のあるプラスチックで形成される。
【００１７】
また特許文献２には、水道メータボックスの内部に設置され水道メータの積算値を検針センター等に送信するアンテナを持った無線ユニットの取付け面に永久磁石を設け、この永久磁石によって無線ユニットを水道メータボックスの蓋体の裏面に磁気吸着するようにした無線検針装置が開示されている。
【００１８】
【特許文献１】特開平０６−２８２７９０号公報（図６、図７）
【特許文献２】特開平１０−１８５６４９号公報（図１）
【発明の開示】
【発明が解決しようとする課題】
【００１９】
特許文献１に開示された自動検針用無線装置は、良好な通信特性を得るべく、無線装置のアンテナの方向を任意に調整できるようにすることを課題としており、任意の方向とは言っても、無線装置は垂直軸を中心として回転可能にされているだけである。また、上記の課題１、２、４は解決しているものの、凹部を用いる例の場合には上蓋に凹部を形成する加工が必要であり、サポートを用いる例についてはサポートをどのようにして上蓋に取付けるのかを開示していない。
【００２０】
一方、特許文献２に開示された無線検針装置は、上記の課題１、２、３は解決しているものの、永久磁石による吸着であるため、上蓋は永久磁石の吸着可能な金属でなければならず、無線ユニットの取付け強度が十分であるとは言えない。前述したように、水道メータボックスは上蓋が地面と同レベルになるように埋設されることが多く、人に踏まれることもある。この場合に、上蓋への衝撃により無線ユニットが外れてしまうおそれがある。
【００２１】
以上のように、水道メータ等に適用するための遠隔監視用無線端末装置及びアンテナは、水道メータが収容されている枡内に設置する場合、無線通信を行うために十分な電波特性が得られるように配慮する必要がある。また、アンテナの位置が変化すると、電波環境が変化して通信状況が悪化するので、アンテナは確実に固定する必要がある。
【００２２】
本発明は、無線による通信の安定化、かつ実運用に適した遠隔監視用無線無線端末装置及びアンテナの取付け構造を提供しようとするものである。
【００２３】
具体的には、本発明は、遠隔監視用無線端末装置及びアンテナを、枡や枡蓋に対する直接加工を行うことなく確実に固定できるような取付け構造を提供しようとするものである。
【課題を解決するための手段】
【００２４】
本発明は、樹脂製の枡及び枡蓋に着目したものであり、このような枡及び枡蓋では樹脂による電波の減衰は極めて小さいことから、枡蓋の裏面または枡内に遠隔監視システム用の無線端末装置及びアンテナを枡蓋や枡に直接加工せずに取付ける取付け構造をとることにより、前記課題を解決している。
【００２５】
以下にその態様を記載する。
【００２６】
［第１の態様］
樹脂製の蓋付き枡内に収容された計測機器の計測値を電気信号に変換して送信する無線端末装置及びアンテナを前記枡内に取付けるための取付け構造であって、前記無線端末装置及びアンテナを個別に、または一体的に前記蓋の裏面側に沿わせた状態で取付けるための板状の取付け金具を有し、該取付け金具は、前記無線端末装置及びアンテナを個別に、または一体的に前記蓋の裏面側に押えるための押え部と、前記蓋の一部に掛合する掛合部と、該掛合状態を堅くするための締付け部とを有することにより、前記蓋に加工を施すこと無く前記無線端末装置及びアンテナを個別に、または一体的に前記蓋の裏面側に取付けできるようにしたことを特徴とする遠隔監視システム用の無線端末装置及びアンテナの取付け構造。
【００２７】
［第２の態様］
上記第１の態様において、前記取付け金具は前記無線端末装置及びアンテナを個別に前記蓋の裏面側に取付けるためのものであって少なくとも１つの無線端末装置用取付け金具と１つのアンテナ用取付け金具とから成り、前記無線端末装置用取付け金具は対の金具から成り、該対の金具の各々は一端側に前記蓋の縁に掛けるコ字形状部を前記掛合部として有すると共に他端側には略直角に折曲げられた立上げ部を有して、該対の金具の立上げ部同士を対向させてネジによる締付けを行うことで前記締付け部とし、該締付け部とその両側の下面側領域に前記無線端末装置を配置することで前記押え部とし、前記アンテナ用取付け金具も対の金具から成り、該対の金具の各々は一端側に前記蓋の縁に掛けるコ字形状部を前記掛合部として有すると共に他端側には略直角に折曲げられた立上げ部を有し、しかも該対の金具の一方は前記アンテナを接着テープで固着するための受け部を前記押え部として有し、該対の金具の立上げ部同士を対向させてネジによる締付けを行うことで前記締付け部とした遠隔監視システム用の無線端末装置及びアンテナの取付け構造。
【００２８】
上記第２の態様においては、前記蓋の裏面にその四周を除くほぼ全域に断熱材が設けられ、前記無線端末装置及びアンテナは該断熱材を介して前記蓋の裏面側に取付けられることが望ましい。
【００２９】
［第３の態様］
上記第１の態様において、前記蓋の裏面側には対向する二辺の端部近傍にそれぞれ該端部に沿う突条を有し、これらの突条にはそれぞれ前記断熱材の端部を受入れ可能なポケットが設けられており、前記取付け金具は前記無線端末装置及びアンテナを個別に前記蓋の裏面側に取付けるためのものであって、その一端側に近い部分には前記アンテナを接着テープで固着するための受け部を前記押え部として有し、他端側に近い部分には前記無線端末装置を受けてこれを前記断熱部材に押付けるための部分を前記押え部として有し、前記取付け金具の一端部及び他端部にはそれぞれ、該端部から離れる方向に延びる少なくとも１つの第１の舌片を有すると共に、該第１の舌片より低い高さ位置で該第１の舌片と同じ方向に延びる第２の舌片を前記掛合部として有して、前記第２の舌片を前記断熱材とともに前記ポケットに押し込むと、前記第１の舌片が前記突条の上側に位置し、該第１の舌片に設けられたネジ孔を通してネジを螺入することで前記第２の舌片を前記断熱材に押付ける前記締付け部として作用するようにしたことを特徴とする遠隔監視システム用の無線端末装置及びアンテナの取付け構造。
【００３０】
上記第３の態様においては、前記取付け金具が対の金具から成り、一方の金具は、その一端部に前記第１、第２の舌片を、中央部に前記アンテナを接着テープで固着するための前記受け部を、他端部に接続部をそれぞれ有し、他方の金具は、その一端部に前記第１、第２の舌片を、中央部に前記無線端末装置を受けてこれを前記断熱部材に押付けるための前記部分を、他端部に接続部をそれぞれ有し、前記一方の金具の前記接続部、前記他方の金具の前記接続部の一方にはネジ挿通用の穴を、他方には長さ方向に長くしたネジ挿通用の長穴を設けてこれらの穴及び長穴を通して前記対の金具の前記接続部同士をネジで連結するようにし、しかも連結した時の取付け金具としての長さを可変の構成とすることが望ましい。
【００３１】
［第４の態様］
上記第１の態様１において、前記蓋の裏面がその四周を除くほぼ全域が凹部とされ、該凹部にはその対向し合う二辺の内壁との間に溝ができるように断熱材が設けられて、前記無線端末装置及びアンテナは該断熱材を介して前記蓋の裏面側に取付けられるものであり、前記取付け金具は前記無線端末装置及びアンテナを個別に前記蓋の裏面側に取付けるためのものであって少なくとも１つの無線端末装置用取付け金具と１つのアンテナ用取付け金具とから成り、前記無線端末装置用取付け金具は対の金具から成り、該対の金具の各々は一端側が前記掛合部として前記溝内に挿入されると共に他端側には略直角に折曲げられた立上げ部を有し、しかも一方の立上げ部の背面側には他方の立上げ部が入り込むことのできる開口が設けられて、該対の金具の立上げ部の背面同士を対向させた状態で２つの立上げ部間をネジにより締付けることで前記締付け部とし、該締付け部とその両側の下面側領域に前記無線端末装置を配置することで前記押え部とし、前記アンテナ用取付け金具も対の金具から成り、該対の金具の各々は一端側が前記掛合部として前記溝内に挿入されると共に他端側には略直角に折曲げられた立上げ部を有し、しかも該対の金具の一方は前記アンテナを接着テープで固着するための受け部を前記押え部として有すると共に前記立上げ部の背面側には他方の金具の立上げ部が入り込むことのできる開口が設けられて、該対の金具の立上げ部の背面同士を対向させた状態で２つの立上げ部間をネジにより締付けることで前記締付け部とし、前記無線端末装置用取付け金具、前記アンテナ用取付け金具はそれぞれ、それらの前記締付け部が締付けされると、前記対の金具における対の前記掛合部が互いに離れる方向に変位することで前記凹部の内壁に押付けられるように構成されていることを特徴とする遠隔監視システム用の無線端末装置及びアンテナの取付け構造。
【００３２】
上記第４の態様においては、
前記無線端末装置用取付け金具が２つ用いられ、該２つの無線端末装置用取付け金具には、一方の無線端末装置用取付け金具の側縁からその下面側にある無線端末装置の下面を経て他方の無線端末装置用取付け金具の側縁に至る端末装置固定バンドが少なくとも１本取付け可能に構成されていることが望ましい。
【００３３】
［第５の態様］
上記第１の態様において、前記蓋の裏面がその四周を除くほぼ全域が凹部とされ、該凹部にはその対向し合う二辺の内壁との間に溝ができるように断熱材が設けられて、前記無線端末装置及びアンテナは該断熱材を介して前記蓋の裏面側に取付けられるものであり、前記取付け金具は前記無線端末装置及びアンテナを個別に前記蓋の裏面側に取付けるためのものであって少なくとも１つの無線端末装置用取付け金具と１つのアンテナ用取付け金具とから成り、前記無線端末装置用取付け金具は２つの脚部を持つコ字形状を有し、該２つの脚部の間の下面側に前記無線端末装置を配置することで前記押え部とし、前記２つの脚部はそれぞれその先端側が前記掛合部として前記蓋の側縁に当接するようにされると共に該脚部の内側に押え金具が配置され、該押え金具の一端側は前記溝内に挿入されると共に他端側は前記脚部の根元近くまで延び、前記脚部の根元近くにはネジ孔を設け該ネジ孔にネジを螺入させて該ネジの先端で前記押え金具を押圧し該押え金具の前記一端側を前記凹部の内壁に押付けることにより前記締付け部として作用させ、前記アンテナ用取付け金具も２つの脚部を持つコ字形状を有し、該２つの脚部の間の下面側に前記アンテナを受けるための受け部を前記押え部として有し、前記２つの脚部はそれぞれその先端側が前記掛合部として前記蓋の側縁に当接するようにされると共に該脚部の内側に押え金具が配置され、該押え金具の一端側は前記溝内に挿入されると共に他端側は前記脚部の根元近くまで延び、前記脚部の根元近くにはネジ孔を設け該ネジ孔にネジを螺入させて該ネジの先端で前記押え金具を押圧し該押え金具の前記一端側を前記凹部の内壁に押付けることにより前記締付け部として作用させるようにしたことを特徴とする遠隔監視システム用の無線端末装置及びアンテナの取付け構造。
【００３４】
上記第５の態様においては、前記無線端末装置用取付け金具及び前記アンテナ用取付け金具における前記各脚部の両側縁にそれぞれ前記ネジ孔に対応する高さ位置において該側縁から直角方向に延びる舌片が設けられ、前記各脚部に対応する前記押え金具の両側縁にもそれぞれ前記２つの舌片に対応する箇所に舌片が設けられ、互いに対向し合う前記脚部側の舌片には前記ネジとは別のネジのためのネジ孔が設けられると共に前記押え金具側の舌片には前記別のネジを挿通可能な穴が設けられていることにより、前記押え金具が前記別のネジを中心に回動可能にされていることが望ましい。
【００３５】
上記第５の態様においてはまた、前記無線端末装置用取付け金具が２つ用いられ、該２つの無線端末装置用取付け金具には、一方の無線端末装置用取付け金具の側縁からその下面側にある無線端末装置の下面を経て他方の無線端末装置用取付け金具の側縁に至る端末装置固定バンドが少なくとも１本取付け可能に構成されていることが望ましい。
【００３６】
［第６の態様］
上記第１の態様において、前記取付け金具が前記無線端末装置及びアンテナを一体的に前記蓋の裏面側に取付けるためのものであって少なくとも２つの無線端末装置用取付け金具から成り、前記蓋の裏面はその四周を除くほぼ全域が凹部とされ、該凹部にはその対向し合う二辺の内壁との間に溝ができるように断熱材が設けられて、前記無線端末装置及びアンテナは重ねた状態にて該断熱材を介して前記蓋の裏面側に取付けられるものであり、前記無線端末装置用取付け金具は対の金具から成り、該対の金具の各々は一端側が前記掛合部として前記溝内に挿入されると共に他端側には略直角に折曲げられた立上げ部を有し、しかも一方の立上げ部の背面側には他方の立上げ部が入り込むことのできる開口が設けられて、該対の金具の立上げ部の背面同士を対向させた状態で２つの立上げ部間をネジにより締付けることで前記締付け部とし、該締付け部とその両側の下面側領域に前記無線端末装置及びアンテナを重ねて配置することで前記押え部とし、前記無線端末装置用取付け金具は、前記締付け部が締付けされると、前記対の金具における対の前記掛合部が互いに離れる方向に変位することで前記凹部の内壁に押付けられるように構成されていることを特徴とする遠隔監視システム用の無線端末装置及びアンテナの取付け構造。
【００３７】
上記第６の態様においては、前記２つの無線端末装置用取付け金具に、一方の無線端末装置用取付け金具の側縁からその下面側に重ねた状態にある無線端末装置及びアンテナの下面側を経て他方の無線端末装置用取付け金具の側縁に至る端末装置／アンテナ固定バンドが少なくとも１本取付け可能に構成されていることが望ましい。
【００３８】
［第７の態様］
樹脂製の蓋付き枡内に収容された計測機器の計測値を電気信号に変換して送信する無線端末装置及びアンテナを前記枡内に取付けるための取付け構造であって、前記無線端末装置及びアンテナを個別に、または一体的に前記枡内に取付けるための板状の取付け金具を有し、前記取付け金具は、２つの略逆Ｌ字形状の金具を橋渡しするように連結して構成された略コ字形状を有し、しかも一方の金具の連結部分にはネジの挿通可能な穴を設けると共に他方の金具の連結部分にはネジの挿通可能な長穴を設けることにより橋渡し部の長さを可変とし、該橋渡し部上に前記端末装置及びアンテナを個別に、または一体的に固定するようにしたことを特徴とする遠隔監視システム用の無線端末装置及びアンテナの取付け構造。
【００３９】
上記第７の態様においては、前記取付け金具が前記無線端末装置及びアンテナを個別に前記枡内に取付けるためのものであって無線端末装置用取付け金具及びアンテナ用取付け金具とから成り、前記無線端末装置用取付け金具は、２つの略逆Ｌ字形状の金具を橋渡しするように連結して構成された略コ字形状を有し、しかも一方の金具の連結部分にはネジの挿通可能な穴を設けると共に他方の金具の連結部分にはネジの挿通可能な長穴を設けることにより橋渡し部の長さを可変とし、該橋渡し部上に前記端末装置を固定するようにし、前記アンテナ用取付け金具も、２つの略逆Ｌ字形状の金具を橋渡しするように連結して構成された略コ字形状を有し、しかも一方の金具の連結部分にはネジの挿通可能な穴を設けると共に他方の金具の連結部分にはネジの挿通可能な長穴を設けることにより橋渡し部の長さを可変とし、該橋渡し部上に前記アンテナを固定することが望ましい。
【００４０】
上記第７の態様においてはまた、前記無線端末装置用取付け金具及び前記アンテナ用取付け金具における前記２つの略逆Ｌ字形状の金具にそれぞれ上方に延びるように板状の固定金具が連結され、前記略逆Ｌ字形状の金具及び前記板状の固定金具における連結部分の一方には前記ネジとは別のネジの挿通可能な穴を設けると共に連結部分の他方には前記別のネジの挿通可能な長穴を設けることにより前記固定金具の取付け高さ位置を可変とすることが望ましい。
【００４１】
［第８の態様］
樹脂製の蓋付き枡内に収容された計測機器の計測値を電気信号に変換して送信する無線端末装置及びアンテナを前記枡内に取付けるための取付け構造であって、前記無線端末装置及びアンテナを個別に、または一体的に前記枡内に取付けるための取付け金具を有し、前記取付け金具は、２つの脚部を持つ略コ字形状を有する回転金具と、前記２つの脚部を貫通して前記回転金具を回転可能に支持している支持軸と、該支持軸の両端側に組付けられて該支持軸を前記枡の互いに対向する内壁間にわたるように掛け渡すための対の掛け渡し部と、前記回転金具を所定の回転角度で保持するための保持部とを含み、前記回転金具における前記２つの脚部の間の台板上に前記無線端末装置及びアンテナを個別に、または一体的に固定するようにしたことを特徴とする遠隔監視システム用の無線端末装置及びアンテナの取付け構造。
【００４２】
上記第８の態様においては、前記取付け金具が前記無線端末装置及びアンテナを個別に前記枡内に取付けるためのものであって無線端末装置用取付け金具とアンテナ用取付け金具とから成り、前記無線端末装置用取付け金具及び前記アンテナ用取付け金具はそれぞれ、２つの脚部を持つ略コ字形状を有する前記回転金具と前記２つの脚部を貫通して前記回転金具を回転可能に支持している前記支持軸とを含むと共に前記掛け渡し部として前記支持軸の両端部に設けられた雄ネジ部と該雄ネジ部が挿通された略コ字形状の金具と該金具に当接するように前記雄ネジ部に螺合されてその回転により該金具をスライドさせるネジ体とを有することが望ましい。
【００４３】
上記第８の態様においてはまた、前記無線端末装置用取付け金具及び前記アンテナ用取付け金具がそれぞれ、前記保持部として、前記２つの脚部を前記支持軸とは別の場所で貫通している別の支持軸と該別の支持軸の両端部に設けられた雄ネジ部と該雄ネジ部が挿通された前記略コ字形状の金具と該金具に当接するように前記雄ネジ部に螺合されてその回転により該金具をスライドさせる別のネジ体とを有し、前記別の支持軸が貫通している前記２つの脚部の貫通穴は、前記支持軸が貫通している場所を中心とした約９０度の角度範囲にわたる円弧状の長い穴であり、前記支持軸及び前記別の支持軸は略水平に並ぶようにして前記枡の互いに対向する内壁間にわたるように掛け渡されることが望ましい。
【００４４】
上記第８の態様においてはさらに、
前記回転金具を任意の回転角度で保持するための別の保持部を有し、該別の保持部は、前記支持軸に固定された板部材であって該支持軸を中心とした円周上に角度間隔をおいて複数のピンが前記支持軸の方向に突出するように設けられた固定用部品を含み、前記２つの脚部の一方には前記支持軸を中心とした前記円周と同じ大きさの円周上に前記角度間隔より狭い角度間隔をおいて前記複数のピンの挿入可能な複数の穴が設けられ、前記回転金具を前記支持軸に沿ってスライド可能とすることにより前記複数のピンを前記複数の穴のうちの対応する穴へ挿入可能としても良い。
【００４５】
本発明によればまた、上記各態様に記載の取付け構造により前記樹脂製の蓋付き枡内に設置された前記無線端末装置及び前記アンテナを有する遠隔監視システムが提供される。
【発明の効果】
【００４６】
本発明によれば以下の効果が得られる。
【００４７】
１．アンテナ特性を維持した状態で端末装置及びアンテナの取付けができる。
【００４８】
２．端末装置及びアンテナの取付けに枡や枡蓋への穴あけ等の加工が不要である。
【００４９】
３．端末装置及びアンテナの取付け／取外しが容易である。
【００５０】
４．ナットやワッシャ等を用いた接続部分で取付け金具の接続長さや高さを可変とすることで各種サイズの枡に対応可能である。
【００５１】
５．枡蓋表面への突起がほとんど無いため、人がつまずくことがない。
【００５２】
６．枡内や枡蓋への取付け位置を変えることができるため、電波状況を改善するための自由度が高い。また、枡蓋が金属メッシュを有していた場合でもこれを避けてアンテナを設置することが容易に可能である。
【００５３】
７．端末装置及びアンテナの設置場所を電波状況の良い状態で取付け／固定が可能となる。
【発明を実施するための最良の形態】
【００５４】
以下に、本発明を、水道メータを対象とした遠隔監視システムに適用する場合について説明する。この場合、水道メータは蓋付きの枡内に設置され、少なくとも水道メータの計測値を無線送信に適した電気信号に変換する機能を持つ端末装置と、この端末装置からの電気信号を送信するアンテナとが枡蓋あるいは枡に取付けられる。特に、枡及び枡蓋は樹脂製のものが適している。
【００５５】
（第１の実施形態）
本発明の第１の実施形態を図５、図６を参照して説明する。第１の実施形態は、遠隔監視用の無線端末装置（以下、端末装置と略称する）及びアンテナを、枡蓋へコの字金具により取付けるようにしたものである。なお、以降で説明される複数の実施形態では、いずれの場合も断熱材が取付けられた枡蓋を示すが、アンテナ（あるいは端末装置）を枡に取付ける場合には、断熱材無しの枡蓋が用いられても良い。
【００５６】
図５において、樹脂製の枡蓋２の裏側に、対を成す第１、第２の取付け金具９、１０により断熱材４を介してアンテナ７が取付けられる。第１、第２の取付け金具９、１０はそれぞれ薄い板で作られ、一端側に枡蓋２の縁の部分にはまり込むコ字形状部９−１、１０−１を掛合部として有する。第１、第２の取付け金具９、１０の他端側にはそれぞれ互いに対向し合うことができるような略直角の折曲げによる立上げ部９−２、１０−２を有する。第２の取付け金具１０はアンテナ７と同程度の大きさを持つ受け部１０−３を押え部として有し、その下面側に両面テープ８を介してアンテナ７が固着される。立上げ部９−２、１０−２にはそれぞれ対応箇所に孔（ここでは２箇所）を有し、これらの孔にネジ１３を通してナット１４で締付けることにより第１、第２の取付け金具９、１０が結合され、コ字形状部９−１、１０−１を枡蓋２に堅く結合させる締付け部として作用する。立上げ部９−２、１０−２にはワッシャを介在させることが好ましく、振動による緩みを防止するためにナット１４も２個用いることが好ましい。なお、図５において下面側というのは、実際には上面側となることは言うまでも無く、これは後述される実施形態でも同様である。また、立上げ部９−２、１０−２については略直角に折曲げて形成されており、これは以降で示されるすべての立上げ部についても同じである。
【００５７】
アンテナ７は、パッチアンテナを使用することにより裏面のアース面が金属でも影響を受けない。アンテナ７は枡蓋２の方向に電波を放射することになるが、断熱材４には通常、発泡スチロールを用いており、誘電率が１に近いこと、また枡蓋２は樹脂製であるため、アンテナ特性にほとんど影響を与えないことからアンテナ特性の劣化は無い。
【００５８】
枡が水没したり、土や雪をかぶったりした場合に枡の位置が見えなくなることがある。その対策として、一般的には枡蓋２の一部に金属メッシュが入れられていることにより、金属探知機で枡の場所を調べるという方法が取られている。金属メッシュがアンテナ７の上方にあるとアンテナ特性を悪化させることがある。しかし、本取付け構造によれば、枡蓋２に対する第１、第２の取付け金具９、１０の取付け位置を、枡蓋２の縁に沿って容易に変更することができるのでアンテナ取付け位置を変更することが可能であり、金属メッシュによるアンテナ特性劣化を回避できる。
【００５９】
また、枡蓋２の直下にアンテナ７を取付けることが可能であるため、ほぼ地表面の位置にアンテナ７が設置されることになり、枡周囲の土またはコンクリート等にさえぎられる影響が小さいため、アンテナ７の電界強度の低下を避けることが可能となる。
【００６０】
さらに、第１、第２の取付け金具９、１０を用いることで、枡蓋２への加工無しで容易かつ確実にアンテナ７を固定することができ、枡蓋２表面への突起（枡蓋２の表面側に回りこんだ取付け金具の一部）もわずかであるため、突起につまずくという事故も回避することができる。
【００６１】
第１の実施形態では、端末装置５もアンテナ７と同様に枡蓋２に容易に設置することが可能である。図５において、枡蓋２の裏面に対を成す第３、第４の取付け金具１１、１２を２組用いて、端末装置５を容易に固定することができる。第３、第４の取付け金具１１、１２は１組でもよく、第２の取付け金具１０における受け部１０−３を除いて第１、第２の取付け金具９、１０と同様の形状、機能を持つ。つまり、第３、第４の取付け金具１１、１２はそれぞれ、一端側に枡蓋２の縁の部分にはまり込むコ字形状部１１−１、１２−１を掛合部として有する。第３、第４の取付け金具１１、１２の他端側にはそれぞれ互いに対向し合うことができるような立上げ部１１−２、１２−２を有する。立上げ部１１−２、１２−２にはそれぞれ対応箇所に孔（ここでは２箇所）を有し、これらの孔にネジ１３を通してナット１４で締付けることにより第３、第４の取付け金具１１、１２が結合され、コ字形状部１１−１、１２−１を枡蓋２に堅く結合させる締付け部として作用する。この締付け部とその両側の部分の下側は端末装置５を配置するための押え部となる。立上げ部１１−２、１２−２にはワッシャを介在させることが好ましく、振動による緩みを防止するためにナット１４も２個用いることが好ましい。
【００６２】
上記のように対を成す第１、第２の取付け金具９、１０、第３、第４の取付け金具１１、１２を用いることにより、枡蓋２のサイズが異なる場合でもネジ１３の長さを変えたり、ワッシャの個数を変えたりすることで互いに対向し合う立上げ部の間隔を調節して対応することができる。
【００６３】
図６は、上述のようにしてアンテナ７及び端末装置５が第１、第２の取付け金具９、１０及び２組の第３、第４の取付け金具１１、１２により枡蓋２の裏側に取付けされた状態を示す。
【００６４】
なお、各取付け金具は、金属製に限らず枡蓋２への取付けに際する締付け時に塑性変形してしまわない程度の剛性を有する板状の材料であれば良い。また、両面テープ８はアンテナ７が容易に取外しできるような接着強度を有していれば良い。さらに、端末装置５には、通常、送信電力源としてバッテリが内蔵される。端末装置５とアンテナ７との電気接続については周知の方法で行うことができるので、図示、説明は省略する。これらは以降で述べられるどの実施形態においても同様である。
【００６５】
図７、図８を参照して、本発明の第２の実施形態について説明する。第２の実施形態は、枡蓋２の裏側に断熱材４を固定するためのポケットがあることを利用している。断熱材４を固定するためのポケットというのは、断熱材４の長手方向の端部を受入れるための凹部のことである。つまり、枡蓋２の裏側にはその主面に断熱材４を受入れるための一定深さの凹部が形成されると共に、長手方向の端部に近い位置にこの端部に沿って２つの突条２−１が形成される。そして、これら２つの突条２−１の互いに対向し合う部分にはそれぞれ上記凹部に連なり端部側に向けて凹部が形成されている。
【００６６】
アンテナ７、端末装置５を断熱材４に沿わせて枡蓋２に取付けるために、対を成す取付け金具１７、１８が用いられる。取付け金具１７、１８はそれぞれ一端側に固定用ネジ１５を螺合するためのネジ孔が切られた２つの舌片１７−１、１８−１を有し、他端側には複数のネジ１３（ここでは３個）で連結するための接続部１７−２、１８−２を有する。接続部１７−２、１８−２の対応し合う箇所にはネジ１３を通すための穴が設けられ、これらの穴にネジ１３を通してナット１４で締付けることにより取付け金具１７と１８とが接続される。なお、接続部１７−２、１８−２に設けられる穴のうちの一方、ここでは接続部１８−２に設けられた穴を長穴１８−２ａとすることにより、枡蓋２の長さサイズに応じて接続された取付け金具１７と１８の全長を調整することができるようにされている。ネジ１３、ナット１４にもワッシャを組合せることが望ましい。
【００６７】
取付け金具１７、１８にはそれぞれ、舌片と接続部との間を少し立上げることによりアンテナ７、端末装置５の受け部が押え部として形成されている。端末装置５の受け部については、中央部分を抜き取り加工している。取付け金具１７、１８のそれぞれにはまた、２つの舌片１７−１の間、２つの舌片１８−１の間に、これらよりやや下方で舌片１７−１、１８−１と同じ方向に延びる舌片１７−３、１８−３が設けられている。これにより、舌片１７−３、１８−３を、断熱材４と共に前述したポケットに押込むことができ、この時舌片１７−１、１８−１は突条２−１の上にある。この状態にて舌片１７−１、１８−１のネジ孔に固定用ネジ１５を螺入すると、固定用ネジ１５の先端が突条２−１に当接しそれに伴って舌片１７−３、１８−３が断熱材４に押付けられることにより取付け金具１７、１８が枡蓋２に取付けられる。つまり、舌片１７−１、１８−１は締付け部として作用し、舌片１７−３、１８−３は掛合部として作用する。
【００６８】
このようにして、ネジ１３で連結した取付け金具１７の受け部に両面テープ８を介してアンテナ７を装着すると共に、取付け金具１８の受け部に端末装置５を装着し、舌片１７−３、１８−３を両側の突条２−１のポケットに押し込んだうえで舌片１７−１、１８−１のネジ孔に固定用ネジ１５を螺入することによりアンテナ７、端末装置５が枡蓋２の裏側に取付けられる。なお、接続部１７−２、１８−２を連結しているネジ１３に螺合されるナット１４は接続部１７−２の下方に突出するので、断熱材４の対応箇所にはこれを受入れるための凹部（図示省略）が設けられる。また、取付け金具１７と１８ははじめから一枚の板材で一体に作られていても良い。さらに、舌片１７−１、１８−１を舌片１７−３、１８−３よりも低くしてポケットに押込むようにし、舌片１７−３、１８−３を突条２−１の上側に当接させるようにして舌片１７−３、１８−３に固定用ネジ１５を螺入するようにしても良い。
【００６９】
図８は、上述のようにしてアンテナ７及び端末装置５が取付け金具１７、１８により枡蓋２の裏側に取付けされた状態を示す。第１の実施形態では、わずかではあるが、枡蓋２の表面側に各取付け金具のコ字形状部の一部が突起するが、第２の実施形態では枡蓋２の表面側に突起がまったく無しに固定することができる。
【００７０】
図９〜図１１を参照して、本発明の第３の実施形態について説明する。第３の実施形態は、枡蓋２がその裏面であって、２つの突条２−１の間に断熱材１４を受入れるための凹部を有していることを利用する。つまり、図１１に示すように、枡蓋２の裏面側は、断熱材４を受入れできるように一定深さの凹部になっており、特に、長手方向の一方の辺の縁の高さが突条２−１の上端とほぼ同じ高さであるのに対し、他方の辺の縁の高さは低く突条２−１の根元と同じ高さとなっている。また、枡蓋２の長手方向の両辺縁と断熱材４の両側縁との間にはわずかな隙間（溝）ができるようにされている。
【００７１】
図１０において、第３の実施形態では、枡蓋２にアンテナ７を取付けるために、対を成す取付け金具１９と取付け金具２０とアンテナ固定金具２７及び両面テープ８とが用いられる。
【００７２】
取付け金具１９はアンテナ７とほぼ同じ大きさの受け部１９−１を押え部として有し、その一端側は略逆Ｌ字形状に折り曲げられさらにその先端が波形状にされてわずかに外側に折り曲げられている。受け部１９−１の他端側には内側が切り抜かれて開口とされたコ字形状部が形成され、その先端が立上げ部１９−２となっている。立上げ部１９−２の中心部近くにはネジ２１を挿通可能な穴が設けられている。コ字形状部における立上げ部１９−２の両端側はそれぞれ立上げ部１９−３となっており、２つの立上げ部１９−３にはそれぞれ長穴１９−３ａが形成されている。さらに受け部１９−１の両側にもそれぞれ立上げ部１９−４が設けられ、その長さ方向に長穴１９−４ａが形成されている。
【００７３】
一方、取付け金具２０は、その一端側が略逆Ｌ字形状に折り曲げられさらにその先端が波形状にされてわずかに外側に折り曲げられている。取付け金具２０の他端側はそこから離れる方向に向けて少し突出してから立上げ部２０−１となっており、その中心部近くにネジ２１を螺合可能なネジ孔が設けられている。さらに取付け金具２０の両側にはそれぞれ立上げ部２０−１よりも前方に延びて取付け金具１９の２つの立上げ部１９−３と当接可能な間隔で立上げ部２０−２が設けられ、立上げ部１９−３の長穴１９−３ａと対応する箇所にはネジ２２の螺合可能なネジ孔（あるいは通常の丸穴）が形成されている。
【００７４】
取付け金具１９の下面側には、これよりやや大き目のアンテナ固定金具２７が取付けられる。つまり、アンテナ固定金具２７は、その両側に取付け金具１９をその立上げ部１９−４が近接した状態で受入れ可能な立上げ部２７−１を有し、立上げ部２７−１の中心部にはネジ２６の螺合可能なネジ孔（あるいは通常の丸穴）が形成されている。
【００７５】
アンテナ７は、両面テープ８を介してアンテナ固定金具２７の下面側に取付けられる。
【００７６】
図１１は、取付け金具１９と２０とによりアンテナ７（図１１では図示せず）を枡蓋２に取付けた状態を示している。このような取付けは以下のようにして行われる。
【００７７】
下面側にアンテナ７を取付けたアンテナ固定金具２７を取付け金具１９に組み付ける。そして、枡蓋２と断熱材４との間の隙間（溝）を利用して取付け金具１９における略逆Ｌ字形状の先端折曲げ部を掛合部として枡蓋２の凹部の底部に沿わせる。この時、立上げ部２７−１のネジ孔及び立上げ部１９−４の長穴に通されているネジ２６に螺合されるナットは緩めた状態にしておく。取付け金具２０も同様に、枡蓋２と断熱材４との間の隙間を利用して取付け金具２０における略逆Ｌ字形状の先端折曲げ部を掛合部として枡蓋２の凹部の底部に沿わせる。そして、取付け金具２０の立上げ部２０−１を取付け金具１９のコ字形状の切抜き部に入れて立上げ部１９−２の背面側に沿わせると共に、取付け金具２０の２つの立上げ部２０−２の間に、取付け金具１９の２つの立上げ部１９−３が入り込んで立上げ部２０−１の背面と立上げ部１９−２の背面とが互いに対向し合うようにする。立上げ部２０−２のネジ孔及び立上げ部１９−３の長穴１９−３ａにネジ２２を通しこれに螺合されるナットは緩めた状態にしておく。
【００７８】
次に、アンテナ固定金具２７の位置を調整することによりアンテナ７を位置決めする。これはアンテナ固定金具２７を立上げ部１９−４に沿ってずらすことにより行われる。アンテナ７の位置が決まったらネジ２６に対するナットを締付けてアンテナ固定金具２７を取付け金具１９に固定する。
【００７９】
続いて、立上げ部１９−２の穴を通してネジ２１を立上げ部２０−１のネジ孔に螺合する。ネジ２１のネジ込み量が大きくなるにつれて、立上げ部２０−１と立上げ部１９−２との間隔が小さくなる。これによって取付け金具１９における略逆Ｌ字形状の先端折曲げ部と取付け金具２０における略逆Ｌ字形状の先端折曲げ部はそれぞれ、互いに離れる方向に変位して枡蓋２の凹部内壁に押付けられ、取付け金具１９と２０の組合せ体が枡蓋２に取付けられる。つまり、ここでも立上げ部１９−２と２０−１及びネジ２１が締付け部として作用する。最後に、ネジ２２に対するナットを締付けて取付け金具１９と２０の連結を固定する。これにより、仮にネジ２１が緩んだとしても取付け金具１９と２０の堅い連結状態は維持され、取付け金具１９と２０とが枡蓋２から脱落することは無い。
【００８０】
一方、端末装置５は対を成す取付け金具２３と２４とを２組用いて枡蓋２に取付けられる。
【００８１】
図９において、２つの取付け金具２３のうち図中右側の取付け金具２３について言えば、取付け金具１９と同様、その一端側が略逆Ｌ字形状に折り曲げられさらにその先端が波形状にされてわずかに外側に折り曲げられている。取付け金具２３の他端側には内側が切り抜かれたコ字形状部が形成され、その先端が立上げ部２３−１となっている。立上げ部２３−１の中心部近くにはネジ２１を挿通可能な穴が設けられている。コ字形状部における立上げ部２３−１の両端側はそれぞれ立上げ部２３−２となっており、２つの立上げ部２３−２にはそれぞれ長穴２３−２ａが形成されている。さらに取付け金具２３の片側（隣接する取付け金具２３から遠い方の片側）には立上げ部２３−３が設けられ、その長さ方向に長穴２３−３ａが形成されている。
【００８２】
図９中左側の取付け金具２３は、立上げ部２３−３の場所が、図中右側の取付け金具２３とは反対側にある点を除いて同じである。そして、互いに反対側にある２つの立上げ部２３−３にネジ２５を用いて端末装置固定バンド３２が取付けられる。つまり、立上げ部２３−３に当接する端末装置固定バンド３２にはネジ２５を通す穴が設けられており、この穴及び立上げ部２３−３の長穴２３−３ａにネジ２５を通し、ナットで締付け行うことで２つの取付け金具２３に端末装置固定バンド３２が取付けられる。端末固定バンド３２の材料としては、樹脂系が好ましいが、金属板でも良い。
【００８３】
取付け金具２４は、取付け金具２０と同様、その一端側が略逆Ｌ字形状に折り曲げられさらにその先端が波形状にされてわずかに外側に折り曲げられている。取付け金具２４の他端側はそこから離れる方向に向けて少し突出してから立上げ部２４−１となっており、その中心部近くにネジ２１を螺合可能なネジ孔が設けられている。さらに取付け金具２４の両側にはそれぞれ立上げ部２４−１よりも前方に延びて取付け金具２３の２つの立上げ部２３−２と当接可能な間隔で立上げ部２４−２が設けられ、立上げ部２３−２の長穴２３−２ａと対応する箇所にはネジ２２の螺合可能なネジ孔（あるいは通常の丸穴）が形成されている。さらに取付け金具２４の片側（隣接する取付け金具２４から遠い方の片側）には立上げ部２４−３が設けられ、その長さ方向に長穴２４−３ａが形成されている。
【００８４】
図９中左側の取付け金具２４は、立上げ部２４−３の場所が、図中右側の取付け金具２４とは反対側にある点を除いて同じである。そして、互いに反対側にある２つの立上げ部２４−３にネジ２５を用いて端末装置固定バンド３２が取付けられる。つまり、立上げ部２４−３に当接する端末装置固定バンド３２にはネジ２５を通す穴が設けられており、この穴及び立上げ部２４−３の長穴２４−３ａにネジ２５を通し、ナットで締付け行うことで２つの取付け金具２４に端末装置固定バンド３２が取付けられる。
【００８５】
端末装置固定バンド３２については後述するが、一方の取付け金具２３、２４の立上げ部２３−３、２４−３から端末装置５の図中下面側を経由して反対側に延び、他方の取付け金具２３、２４の立上げ部２３−３、２４−３に至るバンドであり、取付け金具２３側と取付け金具２４側の２本の端末装置固定バンド３２により、取付け金具２３、２４と端末装置５とを一体化する。
【００８６】
端末装置５の取付けは以下のようにして行われる。
【００８７】
取付け金具２４の２つの立上げ部２４−２と取付け金具２３の２つの立上げ部２３−２とを重ね合わせ、立上げ部２４−２のネジ孔、立上げ部２３−２の長穴２３−２ａを通してネジ２２をねじ込み、長穴２３−２ａから突き出たネジ部にナットを取付ける。ナットの締付けは緩めにしておく。２つの取付け金具２３及び取付け金具２４の下面側に端末装置５を添わせ、２本の端末装置固定バンド３２を取付け金具２３、取付け金具２４にネジ２５を用いて取付けることにより取付け金具２３、取付け金具２４と端末装置５とを一体化する。
【００８８】
枡蓋２と断熱材４との間の隙間を利用して取付け金具２３における略逆Ｌ字形状の先端折曲げ部を掛合部として枡蓋２の凹部の底部に添わせる。取付け金具２４も同様に、枡蓋２と断熱材４との間の隙間を利用して取付け金具２４における略逆Ｌ字形状の先端折曲げ部を掛合部として枡蓋２の凹部の底部に添わせる。この時、取付け金具２４の２つの立上げ部２４−２の間に、取付け金具２３の２つの立上げ部２３−２が入り込んで連結され、立上げ部２４−１の背面と立上げ部２３−１の背面とが互いに対向し合うようになっている。一方、立上げ部２４−２のネジ孔及び立上げ部２３−２の長穴２３−２ａにネジ２２が通されこれに螺合されたナットは緩めた状態になっている。必要に応じて、端末装置５の位置を調整する。これはネジ２５に螺合しているナットの締付けを緩めて端末装置５を端末装置固定バンド３２と共に立上げ部２３−３、２４−３に沿ってずらすことにより行われる。
【００８９】
続いて、立上げ部２３−１に穴にネジ２１を通しさらに立上げ部２４−１のネジ孔にネジ２１を螺合する。するとネジ２１のねじ込み量が大きくなるにつれて、立上げ部２４−１と立上げ部２３−１との間隔が小さくなる。これによって取付け金具２３における略逆Ｌ字形状の先端折曲げ部と取付け金具２４における略逆Ｌ字形状の先端折曲げ部はそれぞれ、互いに離れる方向に変位して枡蓋２の凹部内壁に押付けられ、取付け金具２３と２４の組合せ体が枡蓋２に取付けられる。最後に、ネジ２２に対するナットを締付けて取付け金具２３と２４の連結を固定する。これにより、仮にネジ２１が緩んだとしても取付け金具２３と２４の堅い連結状態は維持され、取付け金具２３と２４とが枡蓋２から脱落することは無い。
【００９０】
第３の実施形態では、立上げ部２４−１と立上げ部２３−１及びネジ２１が締付け部として作用し、この締付け部とその両側の下面部分が端末装置５の押え部となる。
【００９１】
第３の実施形態は、第１の実施形態の取付け構造を改善した構造である。つまり、第１の実施形態のデメリットであった枡蓋表面に取付け金具の一部が突き出ることを回避することができる。
【００９２】
第３の実施形態による取付け構造は、第２の実施形態の取付け構造の改善にも適用できる。つまり、図７、図８の取付け構造は、枡蓋２に断熱材４を固定するためのポケットがあることが前提条件であった。言い換えれば、断熱材４を固定するためのポケットの無い枡蓋には、図７、図８の取付け構造は採用することができない。しかし、第３の実施形態による取付け構造は、断熱材４を固定するためのポケットが無くても、断熱材４を、取付け金具１９と２０及びアンテナ７、２組の取付け金具２３と２４及び端末装置５と共に枡蓋２に取付けることが可能となる。
【００９３】
図１２〜図１４を参照して第４の実施形態について説明する。
【００９４】
第４の実施形態は、アンテナ７、端末装置５をそれぞれ、対を成す取付け金具によらずに一体型の取付け金具で枡蓋２に取付けできるようにしたものである。つまり、アンテナ７を１つの取付け金具２８で枡蓋２に取付け、端末装置５を２組の取付け金具３０と２本の端末装置固定バンド３２で取付けできるようにしている。特に、図１３に示すように、取付け金具２８、３０はそれぞれ、２つの脚部を持つコ字形状に作られ、それらの脚部の先端部が掛合部として枡蓋２の表面側に突出しないように作られている。
【００９５】
取付け金具２８について言えば、中央部にアンテナ固定金具２７を取付けるための受け部２８−１を押え部として有し、その両側縁にはそれぞれ長穴２８−２ａが形成された立上げ部２８−２が設けられている。図１１で説明した取付け金具１９と同様に、受け部２８−１の下面側には立上げ部２８−２に当接する２つの立上げ部２７−１を持つアンテナ固定金具２７が取付けられる。立上げ部２７−１の中央部近くにはネジ２６を通すことのできるネジ孔（あるいは通常の丸穴）が形成され、このネジ孔及び立上げ部２８−２の長穴２８−２ａを通したネジ２６のネジ部にワッシャ、ナットをはめ込んで締付けを行うことによりアンテナ固定金具２７は取付け金具２８に取付けられる。勿論、アンテナ固定金具２７の下面側には両面テープ８を介してアンテナ７が固着される。そして、図１１で説明したように、アンテナ固定金具２７を立上げ部２８−２に沿ってずらすことにより、アンテナ７の位置決め調整を行うことができる。
【００９６】
取付け金具２８はまた、受け部２８−１の両端において互いに反対方向に延びると共に略逆Ｌ字形状に折り曲げられ、さらに断熱材４の一部及び枡蓋２の側縁部に沿うように階段状に折曲げられている。略逆Ｌ字形状の折曲げ部の根元近くにはネジ２１を螺合するためのネジ孔が設けられ、このネジ孔に近い略逆Ｌ字形状の折曲げ部の両側縁にはそれぞれ受け部２８−１側に向けて延びる舌片２８−３が設けられている。略逆Ｌ字形状の折曲げ部の内側には押え金具３１が配置される。押え金具３１は、枡蓋２の凹部を形成している内壁と断熱材４との間にある隙間（溝）に入り込む部分を有し、その下端部は波形状にされると共に外側に向けて折曲げられた先端折曲げ部を持つ。押え金具３１は舌片２８−３に対応する高さまで延び、舌片２８−３に対応する箇所に舌片３１−１を有する。舌片２８−３にはネジ２２を螺合可能なネジ孔が設けられ、舌片３１−１には長穴が設けられている。
【００９７】
アンテナ固定金具２７を介してアンテナ７を取付けた取付け金具２８を図１３に示す状態にセットする。この時、ネジ２２は締付けを緩めた状態にしておく。略逆Ｌ字形状の折曲げ部のネジ孔にネジ２１を螺入すると、その先端が押え金具３１に当接する。ネジ２１のねじ込み量をさらに大きくすると、押え金具３１下端の先端折曲げ部が枡蓋２の凹部内壁に強く押付けられる。つまり、逆Ｌ字形状の折曲げ部とそこに設けられたネジ孔及びネジ２１と押え金具３１は締付け部として作用する。その結果、押え金具３１は枡蓋２に取付けされた状態となる。言い換えれば、この状態は、枡蓋２の凹部を形成している長手方向の辺縁部が取付け金具２８の略逆Ｌ字形状の折曲げ部と押え金具３１とで挟まれた状態である。続いて、ネジ２２に対するナットの締付けを強くすることで押え金具３１と取付け金具２８は一体化される。これにより、アンテナ７を取付けた取付け金具２８は押え金具３１を介して枡蓋２に取付けられる。
【００９８】
取付け金具３０については、取付け金具２８の受け部２８−１に代えて立上げ部３０−１による端末装置固定バンド３２の取付け部を有する点を除いて、取付け金具２８と同じ構造を持つ。つまり、２組の取付け金具３０は、互いに反対側の側縁に立上げ部３０−１を有し、立上げ部３０−１の２箇所に長手方向に沿う長穴３０−１ａが形成されている。図９で説明したように、端末装置５の下面側に回し込んだ２本の端末装置固定バンド３２の両端部に設けられた穴及び立上げ部３０−１の長穴３０−１aにネジ２５を通し、ワッシャ及びナットをはめて締付けを行うことにより、２組の取付け金具３０と端末装置５とが一体化される。
【００９９】
取付け金具３０はまた、その両端において略逆Ｌ字形状に折り曲げられ、さらに断熱材４の一部及び枡蓋２の側縁部に沿うように階段状に折曲げられている。略逆Ｌ字形状の折曲げ部の根元近くにはネジ２１を螺合するためのネジ孔が設けられ、このネジ孔に近い略逆Ｌ字形状の折曲げ部の両側縁にはそれぞれ反対端部側に向けて延びる舌片３０−２が設けられている。略逆Ｌ字形状の折曲げ部の内側には押え金具３１が配置される。押え金具３１は、図１４で説明した押え金具３１とまったく同じであり、枡蓋２の凹部を形成している内壁と断熱材４との間にある隙間に入り込む部分を有し、その下端部は波形状にされると共に外側に向けて折曲げられた先端折曲げ部を持つ。押え金具３１は舌片３０−２に対応する高さまで延び、舌片３０−２に対応する箇所に舌片３１−１を有する。舌片３０−２にはネジ２２を螺合可能なネジ孔が設けられ、舌片３１−１には長穴が設けられている。
【０１００】
取付け金具３０における略逆Ｌ字形状の折曲げ部の先端部が掛合部として作用し、逆Ｌ字形状の折曲げ部とそこに設けられたネジ孔及びネジ２１と押え金具３１が締付け部として作用することは明らかであり、取付け金具３０における２つの略逆Ｌ字形状の間の部分が端末装置５の押え部として作用することも明白である。取付け金具３０が枡蓋２に取付けられる原理は、図１４で説明した取付け金具２８とまったく同じであるので説明は省略する。
【０１０１】
第４の実施形態においても、第１の実施形態においてデメリットであった、枡蓋２の表面に取付け金具の一部が突き出ることを回避することができる。
【０１０２】
第４の実施形態による取付け構造は、第２の実施形態の取付け構造の改善にも適用できる。つまり、図７、図８の取付け構造は、枡蓋２に断熱材４を固定するためのポケットがあることが前提条件であった。言い換えれば、断熱材４を固定するためのポケットが無い枡蓋には、図７、図８の取付け構造は採用することができない。しかし、第４の実施形態による取付け構造は、断熱材４を固定するためのポケットが無くても、断熱材４を、取付け金具２８とアンテナ７、２組の取付け金具３０と端末装置５と共に枡蓋２に取付けることが可能となる。
【０１０３】
図１５、図１６を参照して第５の実施形態について説明する。
【０１０４】
第５の実施形態は、第３の実施形態を簡略化したもので、図９で説明した対を成す取付け金具２３と対を成す取付け金具２４とを２組用いると共に２本の端末装置／アンテナ固定バンド３２を用い、端末装置５とアンテナ７とを重ねた状態にて一体的に枡蓋２に取付けるようにした構造である。これにより、第３の実施形態における取付け金具１９及び２０、アンテナ固定金具２７を省略することができる。
【０１０５】
図９で説明したように、図中右側の取付け金具２３について言えば、その一端側が略逆Ｌ字形状に折り曲げられさらにその先端が波形状にされてわずかに外側に折り曲げられ、掛合部とされている。取付け金具２３の他端側には内側が切り抜かれたコ字形状部が形成され、その先端が立上げ部２３−１となっている。立上げ部２３−１の中心部近くにはネジ２１を挿通可能な穴が設けられている。コ字形状部における立上げ部２３−１の両端側はそれぞれ立上げ部２３−２となっており、２つの立上げ部２３−２にはそれぞれ長穴２３−２ａが形成されている。さらに取付け金具２３の片側（隣接する取付け金具２３から遠い方の片側）には立上げ部２３−３が設けられ、その長さ方向に長穴２３−３ａが形成されている。
【０１０６】
図１５中左側の取付け金具２３は、立上げ部２３−３の場所が、図中右側の取付け金具２３とは反対側にある点を除いて同じである。そして、互いに反対側にある２つの立上げ部２３−３にネジ２５を用いて端末装置／アンテナ固定バンド３２が取付けられる。つまり、立上げ部２３−３に当接する端末装置／アンテナ固定バンド３２にはネジ２５を通す穴が設けられており、この穴及び立上げ部２３−３の長穴２３−３ａにネジ２５を通し、ナットで締付け行うことで２つの取付け金具２３に端末装置／アンテナ固定バンド３２が取付けられる。
【０１０７】
取付け金具２４は、その一端側が略逆Ｌ字形状に折り曲げられさらにその先端が波形状にされてわずかに外側に折り曲げられ、掛合部とされている。取付け金具２４の他端側はそこから離れる方向に向けて少し突出してから立上げ部２４−１となっており、その中心部近くにネジ２１を螺合可能なネジ孔が設けられている。さらに取付け金具２４の両側にはそれぞれ立上げ部２４−１よりも前方に延びて取付け金具２３の２つの立上げ部２３−２と当接可能な間隔で立上げ部２４−２が設けられ、立上げ部２３−２の長穴２３−２ａと対応する箇所にはネジ２２の螺合可能なネジ孔（あるいは通常の丸穴）が形成されている。さらに取付け金具２４の片側（隣接する取付け金具２４から遠い方の片側）には立上げ部２４−２が設けられ、その長さ方向に長穴２４−２ａが形成されている。
【０１０８】
図１５中の左側の取付け金具２４は、立上げ部２４−２の場所が、図中右側の取付け金具２４とは反対側にある点を除いて同じである。そして、互いに反対側にある２つの立上げ部２４−２にネジ２５を用いて端末装置／アンテナ固定バンド３２が取付けられる。つまり、立上げ部２４−２に当接する端末装置／アンテナ固定バンド３２にはネジ２５を通す穴が設けられており、この穴及び立上げ部２４−２の長穴２４−２ａにネジ２５を通し、ナットで締付け行うことで２つの取付け金具２４に端末装置／アンテナ固定バンド３２が取付けられる。
【０１０９】
図１６に示すように、端末装置／アンテナ固定バンド３２は、一方の取付け金具２３、２４の立上げ部２３−３、２４−２から端末装置５及びその下面側に両面テープを介して接着されたアンテナ７を経由して反対側に延び、他方の取付け金具２３、２４の立上げ部２３−３、２４−２に至るバンドであり、取付け金具２３側と取付け金具２４側の２本の端末装置／アンテナ固定バンド３２により、取付け金具２３、２４と端末装置５及びアンテナ７とを一体化する。
【０１１０】
２組の取付け金具２３、２４により一体化された端末装置５とアンテナ７を枡蓋２に取付ける作業は図９で説明したのと同じであるので説明は省略するが、この第５の実施形態でも、立上げ部２４−１と立上げ部２３−１及びネジ２１が締付け部として作用し、この締付け部とその両側の下面部分が端末装置５の押え部となる。
【０１１１】
なお、第５の実施形態は、枡蓋２の凹部内壁と断熱材４との間の隙間を利用する図１２〜図１４の第４の実施形態による取付け構造にも適用することが可能である。
【０１１２】
図１７、図１８を参照して第６の実施形態について説明する。
【０１１３】
第６の実施形態は、端末装置５及びアンテナ７を枡蓋２ではなく、枡１本体に取付けるようにしたものである。
【０１１４】
図１７（ａ）、図１８（ａ）において、略逆Ｌ字形状の板状の取付け金具３３及び取付け金具３４を橋渡しするように重ね、ネジ３５とナットで締付け固定して略コ字形状とする。取付け金具３３と取付け金具３４のネジ挿通部の少なくとも一方は橋渡し方向に延びる長穴となっており、枡１の大きさ（内側容器の幅）に応じて橋渡し部の長さを調整することが可能である。取付け金具３３、取付け金具３４にそれぞれ板状の固定金具３６をネジ（ここでは蝶ネジ）３５’とナットを使用して上方に延びるように取付け、枡１に収納する。固定金具３６と取付け金具３３、３４のネジ挿通部の少なくとも一方も高さ方向に延びる長穴となっており、枡１の深さ（内側容器の高さ）に応じて取付け金具３３、３４から上方に延びる固定金具３６の突出長を調整することが可能である。
【０１１５】
図１７（ａ）に示すように、取付け金具３３と取付け金具３４の橋渡し部の上に端末装置５を置き、２本の結束バンド４０で固定する。
【０１１６】
一方、図１７（ｂ）、図１８（ｂ）を参照して、アンテナ７を固定するために、取付け金具３３、３４及び固定金具３６と同様の板状の取付け金具３７、３８及び固定金具３９を用いる。取付け金具３７、３８及び固定金具３９は、取付け金具３３、３４及び固定金具３６に比べて幅方向のサイズが少し小さい点を除けばまったく同じである。言い換えれば、取付け金具３７、３８及び固定金具３９の幅方向のサイズは取付けられるアンテナ７のサイズに応じて決まる。
【０１１７】
略逆Ｌ字形状の取付け金具３７及び取付け金具３８を橋渡しするように重ね、ネジ３５とナットで締付け固定して略コ字形状とする。取付け金具３７と取付け金具３８のネジ挿通部の少なくとも一方は橋渡し方向に延びる長穴となっており、枡１の大きさに応じて橋渡し部の長さを調整することが可能である。取付け金具３７、取付け金具３８をそれぞれ固定金具３９にネジ（ここでは蝶ネジ）３５’とナットを使用して取付け、枡１に収納する。この収納場所は、水道メータＭを間にした端末装置５の収納場所とは反対側とするのが好ましい。固定金具３９と取付け金具３７、３８のネジ挿通部の少なくとも一方も高さ方向に延びる長穴となっており、枡１の深さに応じて取付け金具３７、３８から上方に延びる固定金具３９の突出長を調整することが可能である。
【０１１８】
取付け金具３７と取付け金具３８の橋渡し部の上に両面テープを介してアンテナ７を接着するが、これは、結束バンドやネジで行われても良い。
【０１１９】
端末装置５とアンテナ７は重ねて一体的に取付けられても良く、この場合、アンテナ７用の取付け金具３７、３８、固定金具３９は不要である。
【０１２０】
図１９、図２０を参照して第７の実施形態について説明する。
【０１２１】
第７の実施形態は、アンテナ７を水平軸を中心に回転可能に取付けできるようにした構造である。
【０１２２】
図１９、図２０において、２本の回転軸４１の両端側にそれぞれ両側に脚部を持つコ字形状の金具４３を取付ける。各回転軸４１の端部に近い部分には雄ネジが切られており、この雄ネジに螺合された固定ネジ（ネジ体）４４に当接して軸方向にスライド可能に金具４３が取付けられる。これにより、固定ネジ４４を回転させると、その回転方向に応じて金具４３を変位させることができる。２つの金具４３の脚部が枡１の互いに対向し合う内壁に当接した状態で固定ネジ４４を回して枡１の内壁に金具４３の脚部をつっぱらせることにより回転軸４１を、金具４３を介して枡１の内壁に固定することができる。つまり、回転金具４１の雄ネジ、金具４３、固定ネジ４４は、回転軸４１を枡１の互いに対向し合う内壁間に掛け渡すための掛け渡し部として作用する。
【０１２３】
なお、２本の回転軸４１にはアンテナ７を固定するための台板とその両側に脚部を持つコ字形状の回転金具４２が取付けられている。２本の回転軸４１の一方の回転軸４１については回転金具４２における両側の脚部を貫通して支持軸として作用しているのに対し、他方の回転軸４１については両側の脚部に形成された円弧形状の長穴４２−１ａを貫通している。特に、長穴４２−１ａは支持軸としての回転軸を中心として約９０度の角度範囲を有し、これにより、回転金具４２を支持軸としての回転軸４１を中心にして約９０度回転させることができる。回転金具４２における両側の脚部に設けられた長穴４２−１ａ及びこれに挿通されている回転軸４１は、回転金具４２を水平状態及びそこから９０度立上げた状態で保持する保持部として作用する。回転金具４２の台板上にはアンテナ７が両面テープ８で固定される。
【０１２４】
なお、アンテナ７の取付け位置は、回転金具４２を回転軸４１に沿って動かすこと及び回転軸４１の枡１への取付け位置を調節することにより自由に変更することができる。
【０１２５】
また、回転金具４２を図２０のように跳ね上げれば、アンテナ７で邪魔されること無く枡１の内部を確認することができるので、枡１の内部の工事時や水道メータの確認時に支障を来たすことは無い。図示、説明は省略するが、端末装置５についても枡１内の別位置で上記と同様の構造により取付けを実現することが可能である。
【０１２６】
なお、前述した特許文献１では無線装置を垂直軸を中心に回転可能にしているが、垂直軸を中心とした回転ではアンテナの指向性に制限がある。例えば水平面で無指向性の特性を持つアンテナでは効果を発揮し得ない。
【０１２７】
これに対し、第７の実施形態では、水平軸を中心としたアンテナ７の回転が可能であり、アンテナ７の指向性にあまり制限を受けることなく効果を発揮することができる。このためには、アンテナ７を任意の回転角度で保持可能な、上記の保持部とは別の保持部を有することが望ましく、その一例を図２１を参照して説明する。
【０１２８】
図２１において、別の保持部を構成するために、回転金具４２の一方の脚部における回転軸４１（支持軸）を中心とした同一円周上に等角度間隔を複数の小穴４２ａを設ける。一方、この脚部を貫通している回転軸４１（支持軸）には、固定板（固定用部品）４５を取付ける。固定板４５には、上記の等角度間隔よりも大きな角度間隔、ここでは９０度の角度間隔をおいて上記の小穴４２ａのうち４個の小穴４２ａに挿入可能な４本のピン４５−１を回転軸方向に突出させている。固定板４５は、その外周側から回転軸４１に向けて螺入した固定用ネジ４６で回転軸４１に固定される。
【０１２９】
回転金具４２を回転させる時には、回転金具４２を回転軸方向にずらして小穴４２ａからピン４５−１を抜き取れば回転可能となる。回転金具４２を固定する時には、回転金具４２をその台板が所望の回転角度になった状態で回転軸方向にずらして小穴４２ａにピン４５−１を挿入させれば良い。但し、回転角度の変更は、小穴４２ａの角度間隔で決まるステップ状に行われる。
【０１３０】
第７の実施形態においても、端末装置５とアンテナ７は重ねて一体的に取付けられても良く、この場合、端末装置５用の各金具は不要である。加えて、重ねられた端末装置５及びアンテナ７を任意の角度で固定できるので、長穴４２−１ａ及びこれに挿通されている方の回転軸４１は省略されても良い。
【産業上の利用可能性】
【０１３１】
本発明による端末装置及びアンテナの取付け構造は、水道メータに限らず、計測機器が樹脂製の蓋付き枡内に設置され、枡が計測員の計測しにくい場所や地中に埋設されることの多い計測機器を対象とした遠隔監視システム全般に適用可能である。
【図面の簡単な説明】
【０１３２】
【図１】図１は一般的な水道メータ用枡及び枡蓋の外観図である。
【図２】図２は、水道メータ用の遠隔監視装置を構成しようとする場合、基地局と端末装置との間の電波の受信状態に生ずる問題について説明するための図である。
【図３】図３は、水道メータ用の遠隔監視装置を構成するために端末装置を水道メータ用枡の外側に設置しようとする場合に生ずる問題について説明するための図である。
【図４】図４は、水道メータ用の遠隔監視装置を構成するために端末装置を水道メータ用枡の蓋の表側に設置しようとする場合に生ずる問題について説明するための図である。
【図５】図５は本発明による端末装置及びアンテナの取付け構造の第１の実施形態を示した分解斜視図である。
【図６】図６は第１の実施形態により端末装置及びアンテナを枡蓋に取付けた状態を示した斜視図である。
【図７】図７は本発明による端末装置及びアンテナの取付け構造の第２の実施形態を示した分解斜視図である。
【図８】図８は第２の実施形態により端末装置及びアンテナを枡蓋に取付けた状態を示した斜視図である。
【図９】図９は本発明の第３の実施形態により端末装置及びアンテナを枡蓋に取付けた状態を示した斜視図である。
【図１０】図１０は、図９に示した取付け構造のうち、アンテナの取付け構造について説明するための分解斜視図である。
【図１１】図１１は、図１９に示されたアンテナの取付け構造を破断して示した斜視図である。
【図１２】図１２は本発明の第４の実施形態により端末装置及びアンテナを枡蓋に取付けた状態を示した斜視図である。
【図１３】図１３は、図１２に示されたアンテナの取付け構造を破断して示した斜視図である。
【図１４】図１４は、図１３に示されたアンテナの取付け構造を分解して示した斜視図である。
【図１５】図１５は本発明の第５の実施形態により端末装置及びアンテナを枡蓋に取付けた状態を示した斜視図である。
【図１６】図１６は図１５に示された端末装置及びアンテナとその取付け金具の組付け状態を背面側から見た図である。
【図１７】図１７（ａ）は本発明の第６の実施形態により端末装置を枡内に取付けた状態を破断して示した図であり、図１７（ｂ）は本発明の第６の実施形態によりアンテナを枡内に取付けた状態を破断して示した図である。
【図１８】図１８（ａ）は図１７の第６の実施形態に用いられる端末装置用の取付け金具を示した斜視図であり、図１８（ｂ）は第６の実施形態に用いられるアンテナ用の取付け金具を示した斜視図である。
【図１９】図１９は本発明の第７の実施形態によりアンテナを枡内に取付けた状態を破断して示した図である。
【図２０】図２０は図１９に示されたアンテナを固定している回転金具を回転させた状態を示す図である。
【図２１】図２１は、図２０に示された回転金具を任意の回転角度で保持することができるようにするための保持部の構造の一例を示した図である。
【符号の説明】
【０１３３】
１    枡
２    枡蓋
２−１    突条
３、Ｍ    水道メータ
４    断熱材
５    無線端末装置
６    基地局
７    アンテナ
８    両面テープ
９、１０、１１、１２      第１、第２、第３、第４の取付け金具
１３、１５、２１、２２、２５、２６    ネジ
１４    ナット
１７、１８、１９、２０、２３、２４、２８、３０    取付け金具
２７    アンテナ固定金具
３１    押え金具
３２    端末装置／アンテナ固定バンド
３３、３４、３７、３８    取付け金具
３５    ネジ
３６、３９    固定金具
４０    結束バンド
【図１】
2008054161.tif 000003
【図２】
2008054161.tif 000004
【図３】
2008054161.tif 000005
【図４】
2008054161.tif 000006
【図５】
2008054161.tif 000007
【図６】
2008054161.tif 000008
【図７】
2008054161.tif 000009
【図８】
2008054161.tif 000010
【図９】
2008054161.tif 000011
【図１０】
2008054161.tif 000012
【図１１】
2008054161.tif 000013
【図１２】
2008054161.tif 000014
【図１３】
2008054161.tif 000015
【図１４】
2008054161.tif 000016
【図１５】
2008054161.tif 000017
【図１６】
2008054161.tif 000018
【図１７】
2008054161.tif 000019
【図１８】
2008054161.tif 000020
【図１９】
2008054161.tif 000021
【図２０】
2008054161.tif 000022
【図２１】
2008054161.tif 000023